(57)【要約】【課題】モータの騒音や振動を抑えることができるモータを提供する。【解決手段】ヨーク１１と結合されるギヤケース１５の開口部１５ａを、対向する一対のフランジ部側平坦部と、当該一対のフランジ部側平坦部同士を連結する一対の円弧部とからなる小判型形状に形成する。この対向する一対のフランジ部側平坦部に一体に形成された一対の開口部側平坦部１５ｉ，１５ｉに、開口部１５ａのフランジ部１５ｂからアーマチュア軸２１の軸心に対して平行に延びるリブ１５ｈを形成する。リブ１５ｈは、一対の開口部側平坦部１５ｉ，１５ｉ側のフランジ部１５ｂから離れるにしたがってその高さが低くなるように三角形状に形成する。【選択図】図２
2010110137.tif 000002
【特許請求の範囲】
【請求項１】
アーマチュア軸を回転自在に支持するモータヨークと、
前記アーマチュア軸の先端に形成されたウォーム部と噛合する減速機構部と、
前記モータヨークと結合される開口部と、前記減速機構部を収納する減速機構収容部とが一体に形成されたギヤケースとを有するモータであって、
前記ギヤケースの開口部は、対向する一対の平坦部と、該一対の平坦部同士を連結する一対の連結部を有し、
前記一対の平坦部の少なくとも一方側に、前記開口部から前記アーマチュア軸の軸心に対して平行に延びる複数のリブが形成されていることを特徴とするモータ。
【請求項２】
請求項１記載のモータにおいて、前記リブは、前記開口部から離間するほど高さが低く形成されていることを特徴とするモータ。
【発明の詳細な説明】
【技術分野】
【０００１】
本発明は、自動車のウインドシールドガラス等の払拭面を払拭するワイパ装置に用いられるワイパモータ等のモータに関する。
【背景技術】
【０００２】
この種のワイパモータとして、モータヨークと結合される円筒形状の開口部を有するギヤケースを備えたワイパモータが知られている。
【特許文献１】特開２００５−００６４３４号公報（図２，図３）
【発明の開示】
【発明が解決しようとする課題】
【０００３】
ワイパモータとして、例えば、小型化を図るにあたり、ギヤケースの開口部の形状を円筒形状から一対の平坦部と一対の円弧部を有する小判形状のギヤケースとした場合、平坦部が平面であるためモータの回転によって平坦部が振動することによって共振を起こしてしまい、モータから振動や騒音が発生してしまうというおそれがあった。
【０００４】
そこで、本発明は、前記した課題を解決すべくなされたものであり、モータの騒音や振動を抑えることができるモータを提供することを目的とする。
【課題を解決するための手段】
【０００５】
本発明のモータは、アーマチュア軸を回転自在に支持するモータヨークと、前記アーマチュア軸の先端に形成されたウォーム部と噛合する減速機構部と、前記モータヨークと結合される開口部と、前記減速機構部を収納する減速機構収容部とが一体に形成されたギヤケースとを有するモータであって、前記ギヤケースの開口部は、対向する一対の平坦部と、該一対の平坦部同士を連結する一対の連結部を有し、前記一対の平坦部の少なくとも一方側に、前記開口部から前記アーマチュア軸の軸心に対して平行に延びる複数のリブが形成されていることを特徴とする。
【０００６】
本発明のモータは、前記リブは、前記開口部から離間するほど高さが低く形成されていることを特徴とする。
【発明の効果】
【０００７】
本発明によれば、対向する一対の平坦部と一対の円弧部からなる小判型形状の開口部を有するギヤケースにおいて、開口部の一対の平坦部側にリブを形成することで、モータ全体の強度の向上を図ることができ、平坦部を振動しにくくすることで、モータが作動した際に、平坦部から発生する振動とモータの各構成要素との共振周波数のポイントをずらして騒音や振動を抑えることができる。
【０００８】
本発明によれば、リブをギヤケースの開口部から離間するほど高さが低く形成されているため、モータ全体の強度の向上を図ることができ、共振周波数を変化させて騒音や振動を抑えることができる。
【発明を実施するための最良の形態】
【０００９】
以下、本発明の一実施形態を図面に基づいて説明する。
【００１０】
図１は本発明の一実施形態のワイパモータを示す側面図、図２は同ワイパモータの平面図、図３Ａは同ワイパモータの断面図、図３Ｂは同ワイパモータに収容されるアーマチュアの巻線図、図４は同ワイパモータのギヤケースの正面図、図５は同ギヤケースに連結されたヨークの要部の断面図、図６は同ギヤケースの開口部に収納されるブラシホルダとブラシ及び磁極の関係を示す説明図である。
【００１１】
図１〜図５に示すように、ワイパモータ（モータ）１０は、アーマチュア２０を収容した有底で略円筒状のヨーク（モータヨーク）１１と、このヨーク１１の開口部１１ａの周りのフランジ部１１ｂがブラシホルダ収容部としての開口部１５ａのフランジ部１５ｂにビス１９Ａを介して締結固定され、内部にアーマチュア２０のアーマチュア軸２１の回転を減速させる減速機構（減速機構部）２６を収納したギヤケース１５と、このギヤケース１５の減速機構収納部１５ｃの開口部１５ｄを覆うようにビス１９Ｂを介して締結固定されたギヤケースカバー１８とを備えている。
【００１２】
図３Ａ，図５に示すように、ヨーク１１の内周面１１ｃには、Ｎ極に着磁されたマグネット１２ｎとＳ極に着磁されたマグネット１２ｓを交互に計４つ接着剤等を介してそれぞれ固着され、円筒状に形成されたマグネット収容部１１ｄを有する。そして、図３Ａに示すように、ヨーク１１の有底筒部１１ｅに嵌合された軸受１３とギヤケース１５の筒部１５ｅに嵌合された軸受１６等でアーマチュア軸２１を回転自在に支持してある。図２，図３Ａに示すように、アーマチュア軸２１の先端部側にはねじの捩れ方向を互いに逆向きにした一対のウォーム２２，２２′を形成してある。
【００１３】
アーマチュア軸２１の４極のマグネット１２ｎ，１２ｓに対向する位置にはアーマチュア２０を取り付けてある。このアーマチュア２０は、アーマチュア軸２１の基端部側に固定され、回転方向に並ぶ１８のコイル巻回部（スロット）を持つアーマチュアコア２０ａと、このアーマチュアコア２０ａのコイル巻回部に巻き回されたアーマチュアコイル（巻線）２０ｂとで構成されている。図３Ｂに示すように、アーマチュアコイル２０ｂは、アーマチュアコア２０ａのコイル巻回部に所定の間隔をあけ、重巻によりコイルを所定回数巻回した後、アーマチュア軸２１の回転方向にずらして異なるコイル巻回部に巻回することを繰り返すことで各コイル巻回部に巻装され、後述する各コンミュテータ片２３ａに電気的に接続されている。
【００１４】
また、図３Ａ，図４に示すように、アーマチュア軸２１のヨーク１１の開口部１１ａとギヤケース１５の開口部１５ａに対向する位置には、コンミュテータ（整流子）２３を固定してある。図３Ｂに示すように、このコンミュテータ２３はアーマチュアコア２０ａのコイル巻回部と同数のコンミュテータ片（整流子片）２３ａを備えていて、回転方向に並ぶ各コンミュテータ片２３ａとアーマチュアコイル２０ｂとは電気的にそれぞれ接続されている。さらに、複数のコンミュテータ片２３ａのうち、同電位となるコンミュテータ片２３ａ同士を接続部材としての均圧線２３ｃによって電気的に接続している。
【００１５】
図１〜図５に示すように、ギヤケース１５の天井壁部の略中央には、出力軸１７の上部１７ａが外へ突出している。この出力軸１７の下部１７ｂには出力ギヤ２４を結合してある。この出力ギヤ２４は一対のウォームホイール２５，２５の各小径ギヤ２５ａに噛合している。また、一対のウォームホイール２５，２５の各大径ギヤ２５ｂはアーマチュア軸２１の一対のウォーム２２，２２′に噛合している。これら一対のウォーム２２，２２′と出力ギヤ２４及び一対のウォームホイール２５，２５はギヤケース１５の減速機構収納
部１５ｃ内に収納され、減速機構２６を構成している。尚、出力軸１７の上部１７ａは、リンク機構を介してワイパアームのワイパ軸（いずれも図示省略）に連結されており、ワイパモータ１０が作動すると、ワイパアームが所定の角度範囲で揺動してウインドシールドガラスを払拭するようになっている。
【００１６】
図３Ａ，図４に示すように、ギヤケース１５の開口部１５ａ内のコンミュテータ２３に対向する位置には、ブラシホルダ３０を介して３つのブラシ３５，３６，３７をコンミュテータ２３のコンミュテータ片２３ａに接触するように取り付けてある。図４、図５に示すように、ヨーク１１の開口部１１ａは、対向する一対の平坦部１１ｆ，１１ｆと一対の平坦部１１ｆ，１１ｆとを連結する一対の円弧部１１ｇ，１１ｇとからなる小判型形状に形成してあり、ヨーク１１は、小判型形状を有する開口部１１ａと円筒形状を有するマグネット収容部１１ｄとを連続的に接続する開口連結部１１ｈと有底筒部１１ｅとが一体的に形成されている。一方のギヤケース１５の開口部１５ａは横長の一対のフランジ部側平坦部１５ｆ，１５ｆと一対の円弧部１５ｇ，１５ｇとからなる小判型形状に形成してある。ヨーク１１の開口部１１ａとマグネット収容部１１ｄの間に開口連結部１１ｈを設けることにより４極のマグネットが配置された円筒状のマグネット収容部１１ｄを径小のまま、マグネット収容部１１よりも形状が大きいギヤケース１５の開口部１５ａとヨーク１１の開口部１１ａとを連結させることができる。これによりヨークの小型化、軽量化をはかれるだけでなく、モータも小型、軽量化を図ることができる。
【００１７】
また、図１および図２に示すように、一対のフランジ側平坦部１５ｆ，１５ｆから連続的に形成された一対の開口部側平坦部１５ｉ，１５ｉには、開口部１５ａのフランジ部１５ｂからアーマチュア軸２１の軸心に対して平行に延びる三角形状のリブ１５ｈがそれぞれ形成されている。リブ１５ｈは、一対の開口部側平坦部１５ｉ，１５ｉ側のフランジ部１５ｂから離れるにしたがって、リブ１５ｈの高さが低くなる形状となっている。これにより、ギヤケース１５の強度を向上させることができるだけでなく、共振周波数が一致しにくい状態となり、作動音や振動を改善することができる。本発明では、一対の開口部側平坦部１５ｉ，１５ｉにそれぞれ３本ずつ計６本のリブ１５ｈが形成されているが、リブ１５ｈの数や長さは、モータの設定によって変えることができる。また、リブ１５ｈは、フランジ部１５ｂの高さを超えないように設定されていることでレイアウト性が向上する。
【００１８】
この横長の小判型形状のギヤケース１５の開口部１５ａ内には、一対の平坦部３０ａ，３０ａと該一対の平坦部３０ａ，３０ａ同士を連結する一対の円弧部（連結部）３０ｂ，３０ｂとからなる小判型形状のブラシホルダ３０を収納してあると共にビス３９を介して該ギヤケース１５に締結固定してある。この小判型形状のブラシホルダ３０の中央には、アーマチュア軸２１のコンミュテータ２３が貫通する円形の貫通孔３１を形成してある。そして、このブラシホルダ３０の貫通孔３１を挟むように３つのブラシ３５，３６，３７を出没自在に収納した３つのブラシボックス（ブラシ収納部）３２，３３，３４を取り付けてある。
【００１９】
図４，図６に示すように、小判型形状のブラシホルダ３０上の四隅の一方の側の両隅部つまり一対の円弧部３０ｂ，３０ｂの一方側に第１のブラシボックス３２と第２のブラシボックス３３をそれぞれ配置すると共に、該小判型形状のブラシホルダ３０の四隅の他方の側の両隅部の間つまり一対の円弧部３０ｂ，３０ｂの他方側に第３のブラシボックス３４を配置してある。即ち、第１のブラシボックス３２を第２のブラシボックス３３に対して直角の位置（アーマチュア軸２１を中心にして回転方向に９０度ずれた位置）に配置すると共に、これら第１のブラシボックス３２と第２のブラシボックス３３とで形成される挟角θ（θ＝９０°）に対して相対向する挟角θ′（θ′＝９０°）内に第３のブラシボックス３４を配置してある。
【００２０】
そして、図４，図６に示すように、第１のブラシボックス３２内に極性が正極（プラス極）とされた低速駆動用ブラシ（第２のブラシ）３５を、第２のブラシボックス３３内に極性が負極（マイナス極）とされた共通ブラシ（第１のブラシ）３６を、第３のブラシボックス３４内に極性が正極（プラス極）とされた高速駆動用ブラシ（第３のブラシ）３７を、それぞれ摺動自在に設けてある。これら各ブラシ３５，３６，３７は図示しないモータ制御回路にそれぞれ電気的に接続されており、低速運転と高速運転の２段の作動速度に切り替えできるようになっている。
【００２１】
以上実施形態のワイパモータ１０によれば、４極モータにおいて同電位となるべきコンミュテータ片２３ａ同士を均圧線２３ｂにより電気的に接続し、共通ブラシ３６と低速駆動用ブラシ３５をブラシホルダ３０の一対の円弧部３０ｂ，３０ｂの一方側に相互に９０度ずれた位置に配置するようにしたので、ブラシ３６，３７を出没自在に配置するブラシホルダ３０を小判型形状に形成して小型化することができ、その分、ワイパモータ１０全体の小型化及び薄型軽量化を図ることができる。
【００２２】
即ち、図４、図６に示すように、ブラシホルダ３０を小判型形状に形成し、この小判型形状のブラシホルダ３０の四隅の一方側の両隅部に共通ブラシ３６と低速駆動用ブラシ３５をそれぞれ配置するようにしたことにより、ブラシホルダ３０を収納するギヤケース１５のブラシホルダ収納部としての開口部１５ａを横長の小判型形状に形成して可及的に小型化することができ、その分、ワイパモータ１０全体をより一段と小型化及び薄型軽量化することができる。
【００２３】
また、共通ブラシ３６と低速駆動用ブラシ３５とで形成される挟角９０度に対して相対向する挟角９０度内、つまり小判型形状のブラシホルダ３０の一対の円弧部３０ｂ，３０ｂの他方側に高速駆動用ブラシ３７を配置したので、小判型形状に形成して小型化されたブラシホルダ３０に高速駆動用ブラシ３７を配置することができ、回転速度を低速駆動と高速駆動とに切り換えるようにしたワイパモータ１０全体の小型化及び薄型軽量化を図ることができる。なお、本実施の形態においては、高速駆動用ブラシ３７を小判型形状のブラシホルダ３０の一対の円弧部３０ｂ，３０ｂの他方側に配置するようにしたが、これに限定されず、高速駆動用ブラシ３７を小判型形状のブラシホルダ３０の一対の円弧部３０ｂ，３０ｂの一方側つまり共通ブラシ３６と低速駆動用ブラシ３５とで形成される挟角９０度内に配置するようにしても良い。
【００２４】
また、共通ブラシ３６と低速駆動用ブラシ３５及び高速駆動用ブラシ３７を用いる小型化及び薄型軽量化したワイパモータ１０で、多極化を図ってもその回転速度を低速駆動と高速駆動とに確実に切り替えることができる。
【００２５】
図７は第２の実施形態に係るワイパモータにおけるギヤケースの正面図である。なお、上述した第１の実施形態と同じ構成については同じ符号で説明している。
【００２６】
第２の実施形態では、複数のコンミュテータ片２３ａのうち、同電位となる（対向する）コンミュテータ片２３ａ同士を均圧線２３ｂによって電気的に接続されたアーマチュア２０を有しており、ブラシホルダ３０を小判型形状に形成し、この小判型形状のブラシホルダ３０の四隅の一方の側の両隅部に第１のブラシ３６と第２のブラシ３５をそれぞれ配置するようにしたことにより、ブラシホルダ３０を収納するギヤケース１５のブラシホルダ収容部としての開口部１５ａを横長の小判型形状に形成して可及的に小型化することができ、その分、ワイパモータ１０全体をより一段と小型化及び薄型軽量化することができる。なお、第２の実施形態では、高速駆動用ブラシとしてのブラシは存在しないが、ワイパモータ１０の駆動速度を制御する制御回路やアーマチュア２０の回転方向を切換える制御回路を設けることにより、小型化及び薄型軽量化することができる制御回路付きワイパ装置とすることができる。
【００２７】
図８は第３の実施形態に係るワイパモータにおけるギヤケースの正面図である。なお、上述した第１の実施形態と同じ構成については同じ符号で説明している。
【００２８】
第３の実施形態では、ブラシホルダ３０を小判型形状に形成し、この小判型形状のブラシホルダ３０の四隅の一方の側の両隅部に第１のブラシ３６と第２のブラシ３５をそれぞれ配置し、さらにブラシホルダ３０の他方の側の両隅部に配置された第４のブラシボックス３３′に収容され、第１のブラシ３６に対して１８０°対向した第４のブラシ（第１の対向ブラシ）３６′と、第５のブラシボックス３２′に収容され、第２のブラシ３５に対して１８０°対向した第５のブラシ（第２の対向ブラシ）３５′とを設けたことにより、ブラシホルダ３０を収容するギヤケース１５のブラシホルダ収容部としての開口部１５ａを横長の小判型形状に形成して可及的に小型化することができ、その分、ワイパモータ１０全体をより一段と小型化及び薄型軽量化することができる。
【００２９】
図９は第４の実施形態に係るワイパモータにおけるギヤケースの正面図である。なお、上述した第１の実施形態と同じ構成については同じ符号で説明している。
【００３０】
第４の実施形態では、ブラシホルダ３０を小判型形状に形成し、この小判型形状のブラシホルダ３０の四隅の一方の側の両隅部に第１のブラシ３６と第２のブラシ３５をそれぞれ配置し、かつ、小判型形状のブラシホルダ３０の四隅の他方の側の両隅部の間に第３のブラシ３７を配置する。さらにブラシホルダ３０の他方の側の両隅部に配置された第４のブラシボックス３３′に収容され、第１のブラシ３６に対して１８０°対向した第４のブラシ（第１の対向ブラシ）３６′と、第５のブラシボックス３２′に収容され、第２のブラシ３５に対して１８０°対向した第５のブラシ（第２の対向ブラシ）３５′と、ブラシホルダ３０の一方側の両隅部に第６のブラシボックス３４′に収容され、第３のブラシ３７に対して１８０°対向した第６のブラシ（第３の対向ブラシ）３７′を配置したことにより、ブラシホルダ３０を収容するギヤケース１５のブラシホルダ収納部としての開口部１５ａを横長の小判型形状に形成して可及的に小型化することができ、その分、ワイパモータ１０全体をより一段と小型化及び薄型軽量化することができる。
【００３１】
尚、前記実施形態によれば、ギヤケースのブラシホルダ収納部としての開口部にブラシホルダを収納するようにしたが、ヨークの開口部にブラシホルダを収納したり、ギヤケースの開口部とヨークの開口部の両方に跨るようにブラシホルダを収納しても良い。
【図面の簡単な説明】
【００３２】
【図１】本発明の一実施形態のワイパモータを示す側面図である。
【図２】ワイパモータの平面図である。
【図３Ａ】ワイパモータの断面図である。
【図３Ｂ】ワイパモータに収容されるアーマチュアの巻線図である。
【図４】ワイパモータのギヤケースの正面図である。
【図５】ギヤケースに連結されたヨークの要部の断面図である。
【図６】ギヤケースの開口部に収納されるブラシホルダとブラシ及び磁極の関係を示す説明図である。
【図７】本発明の第２の実施形態のワイパモータにおけるギヤケースの正面図である。
【図８】本発明の第３の実施形態のワイパモータにおけるギヤケースの正面図である。
【図９】本発明の第４の実施形態のワイパモータにおけるギヤケースの正面図である。
【符号の説明】
【００３３】
１０  ワイパモータ（モータ）
１１  ヨーク（モータヨーク）
１１ａ  開口部
１１ｃ  内周面
１２ｎ，１２ｓ  マグネット
１５  ギヤケース
１５ａ  開口部（ブラシホルダ収納部）
１５ｂ  フランジ部
１５ｃ  減速機構収納部
１５ｆ  一対のフランジ部側平坦部
１５ｇ  一対の円弧部
１５ｈ  リブ
１５ｉ  一対の開口部側平坦部
１７  出力軸
２０  アーマチュア
２０ａ  アーマチュアコア
２０ｂ  アーマチュアコイル（巻線）
２１  アーマチュア軸
２３  コンミュテータ（整流子）
２３ａ  コンミュテータ片（整流子片）
２３ｂ  均圧線（接続部材）
２６  減速機構（減速機構部）
３０  ブラシホルダ
３０ａ，３０ａ  一対の平坦部
３０ｂ，３０ｂ  一対の円弧部（一対の連結部）
３１  貫通孔
３２，３３，３３  ブラシボックス（ブラシ収納部）
３５  低速駆動用ブラシ（第２のブラシ）
３６  共通ブラシ（第１のブラシ）
３７  高速駆動用ブラシ（第３のブラシ）
θ  挟角
θ′  相対向する挟角
【図１】
2010110137.tif 000003
【図２】
2010110137.tif 000004
【図３Ａ】
2010110137.tif 000005
【図３Ｂ】
2010110137.tif 000006
【図４】
2010110137.tif 000007
【図５】
2010110137.tif 000008
【図６】
2010110137.tif 000009
【図７】
2010110137.tif 000010
【図８】
2010110137.tif 000011
【図９】
2010110137.tif 000012